(57)【要約】【解決手段】  本発明は破損型デジタルコンテンツ生成装置に関するものであり、特にフィルター生成に用いられる乱数生成のための初期値を生成する初期値生成部と、前記初期値生成部から受信された初期値によってフィルター生成のための乱数値を生成する乱数発生部と、前記生成された乱数によってコンテンツ破損のための破損フィルターを生成させるフィルター生成部と、原本コンテンツを前記フィルター生成部で生成された破損フィルターによってフィルターリングすることで前記原本コンテンツを破損させるデータフィルターリング部と、前記データフィルターリング部から破損されたコンテンツを符号化する符号化部と、前記初期値生成部で生成された初期値情報を暗号化し、前記データフィルターリング部で破損されたコンテンツに挿入する信号付加部と、前記符号化部から破損されたコンテンツを提供され、前記破損されたコンテンツに映像補正情報を挿入する映像補正部とを含むことを特徴とする。【選択図】図１
2007520098.tif 000002
【特許請求の範囲】
【請求項１】
フィルター生成に用いられる乱数生成のための初期値を生成する初期値生成部と、前記初期値生成部から受信された初期値によってフィルター生成のための乱数値を生成する乱数発生部と、前記生成された乱数によりコンテンツ破損のための破損フィルターを生成させるフィルター生成部と、原本コンテンツを前記フィルター生成部で生成された破損フィルターによってフィルターリングすることで前記原本コンテンツを破損させるデータフィルターリング部と、前記データフィルターリング部から破損されたコンテンツを符号化する符号化部と、前記初期値生成部で生成された初期値情報を暗号化し、前記データフィルターリング部で破損されたコンテンツに挿入する信号付加部と、前記符号化部から破損されたコンテンツを提供され、前記破損されたコンテンツに映像補正情報を挿入する映像補正部とを含むことを特徴とする破損型デジタルコンテンツ生成装置。
【請求項２】
前記装置は、前記コンテンツがアナログ信号である場合、デジタル信号と変換させて、前記データフィルターリング部に提供するアナログデジタル変換部をさらに含むことを特徴とする請求項１に記載の破損型デジタルコンテンツ生成装置。
【請求項３】
前記装置は、前記原本コンテンツに対するフォーマット情報を分析するデータ判別部と、前記データ判別部で分析されたフォーマット情報に基づいて前記破損フィルターに対する環境設定値を決定する環境設定部とをさらに含むことを特徴とする請求項１に記載の破損型デジタルコンテンツ生成装置。
【請求項４】
前記データ判別部は、前記原本コンテンツの画面の大きさ、フレームの数、再生時間及び単位時間当たりのデータ量の中で選択された一つ以上の情報を分析することを特徴とする請求項１に記載の破損型デジタルコンテンツ生成装置。
【請求項５】
前記環境設定部で決定する環境設定値は、前記コンテンツのフレーム当たりの分割領域の個数、前記コンテンツの各フレームの分割領域の中で前記破損フィルターの乱数データを適用する分割領域の個数に対する値、前記コンテンツの各フレームの分割領域に適用する前記破損フィルターの乱数データの占有率、前記デジタルコンテンツの多数のストリームに適用する前記破損フィルターの個数及び前記デジタルコンテンツの多数のストリーム区間の中で前記破損フィルターを適用するストリーム区間情報の中で選択された一つ以上を含むことを特徴とする請求項１に記載の破損型デジタルコンテンツ生成装置。
【請求項６】
前記装置は、前記初期値生成部で生成された初期値情報を暗号化する初期値暗号化部をさらに含むことを特徴とする請求項１に記載の破損型デジタルコンテンツ生成装置。
【請求項７】
前記装置は、複数の前記補正情報及び暗号化された初期値情報が挿入された映像信号等をパッケージ化して電送する役目を遂行するパッケージング部をさらに含むことを特徴とする請求項１に記載の破損型デジタルコンテンツ生成装置。
【請求項８】
受信された破損型コンテンツを圧縮解除して復号化する復号化部と、前記破損型コンテンツの修復のための基礎情報を抽出するコンテンツ解析部と、前記コンテンツ解析部から前記コンテンツを受信して、前記圧縮が解除されたコンテンツで暗号化されたフィルター初期値情報と補正情報を抽出する役目を遂行する信号抽出部と、前記信号抽出部から提供されたフィルター初期値からコンテンツを修復するための修復フィルターを生成して、前記生成された修復フィルターによって前記破損型コンテンツを修復するコンテンツ修復部とを含むことを特徴とする破損型デジタルコンテンツ修復装置。
【請求項９】
前記復号化部で遂行する復号化方式は破損型コンテンツ生成の時、符号化部で符号化した方法によって決定されることを特徴とする請求項８に記載の破損型デジタルコンテンツ修復装置。
【請求項１０】
前記コンテンツ解析部は前記暗号化されたフィルター初期値情報と補正情報を検出する役目をさらに遂行することを特徴とする請求項８に記載の破損型デジタルコンテンツ修復装置。
【請求項１１】
前記コンテンツ修復部は、前記信号抽出部から提供されたフィルター初期値からコンテンツを修復するための修復フィルターを生成する修復フィルター生成部と、前記生成された修復フィルターによって前記破損型コンテンツを修復するデータフィルターリング部と、前記信号抽出部から受信された補正情報によって修復されたコンテンツで補正が必要である部分に対して補正作業を遂行するコンテンツ補正部とを含むことを特徴とする請求項８に記載の破損型デジタルコンテンツ修復装置。
【請求項１２】
前記修復フィルター生成部は、前記信号抽出部から暗号化されたフィルター初期値情報を受信して、前記暗号化されたフィルター初期値情報を復号化する初期値復号化部と、前記初期値復号化部から提供された復号化された初期値からコンテンツを修復するためのフィルター情報値を生成する乱数発生部と、前記乱数発生部から受信されたフィルター情報値と前記初期値復号化部から受信された復号化された初期値情報によって破損されたコンテンツの修復のための修復フィルターを生成する逆フィルター生成部とを含むことを特徴とする請求項１１に記載の破損型デジタルコンテンツ修復装置。
【請求項１３】
フィルター生成に用いられる乱数生成のための初期値を生成する段階と、前記生成された初期値で破損フィルターを生成する段階と、前記破損フィルターによって原本コンテンツを破損する段階と、前記破損フィルターの情報を暗号化する段階と、前記破損コンテンツに対する補正情報を生成する段階と、前記生成された破損コンテンツ、破損フィルター情報及び破損補正情報にパッケージングして破損型コンテンツを生成する段階とを含むことを特徴とする破損型デジタルコンテンツ生成方法。
【請求項１４】
前記方法は、前記生成された初期値によって所定の乱数値が発生する段階と、前記発生された乱数値と前記生成された初期値とによって破損フィルターを生成する段階とをさらに含むことを特徴とする請求項１３に記載の破損型デジタルコンテンツ生成方法。
【請求項１５】
前記コンテンツがアナログ信号である場合にはデジタル信号に変換させる段階をさらに含むことを特徴とする請求項１３に記載の破損型デジタルコンテンツ生成方法。
【請求項１６】
前記方法は、前記原本コンテンツに対するフォーマット情報を分析するデータ判別段階と、前記データ判別段階で分析されたフォーマット情報に基づき、前記破損フィルターに対する環境設定値を決定する環境設定段階とをさらに含むことを特徴とする請求項１３に記載の破損型デジタルコンテンツ生成方法。
【請求項１７】
前記データ判別段階は前記原本コンテンツの画面の大きさ、フレームの数、再生時間及び単位時間当たりのデータ量の中で選択された一つ以上の情報を分析することを特徴とする請求項１６に記載の破損型デジタルコンテンツ生成方法。
【請求項１８】
前記環境設定段階で決定する環境設定値は、前記コンテンツのフレーム当たりの分割領域の個数、前記コンテンツの各フレームの分割領域の中で前記破損フィルターの乱数データを適用する分割領域の個数に対する値、前記コンテンツの各フレームの分割領域に適用する前記破損フィルターの乱数データの占有率、前記デジタルコンテンツの多数のストリームに適用する前記破損フィルターの個数及び前記デジタルコンテンツの多数のストリーム区間の中で前記破損フィルターを適用するストリーム区間情報に中で選択された一つ以上を含むことを特徴とする請求項１６に記載の破損型デジタルコンテンツ生成方法。
【請求項１９】
前記方法は、前記初期値生成部で生成された初期値情報を暗号化する初期値暗号化段階をさらに含むことを特徴とする請求項１３に記載の破損型デジタルコンテンツ生成方法。
【請求項２０】
前記方法は、複数の前記補正情報及び暗号化された初期値情報が挿入された映像信号等をパッケージ化して電送する役目を遂行するパッケージング段階をさらに含むことを特徴とする請求項１３に記載の破損型デジタルコンテンツ生成方法。
【請求項２１】
破損型コンテンツを受信して復号化する段階と、前記受信コンテンツから暗号化されたフィルター情報及び補正情報を抽出する段階と、前記抽出された暗号化されたフィルター情報を復号化して初期値を生成する段階と、前記生成された初期値によって映像信号を修復するためのフィルター情報値を生成する段階と、前記生成された乱数値及び前記初期値から修復フィルターを生成する段階と、前記修復フィルターによって破損された映像信号を修復する段階と、前記抽出された補正情報によって前記修復された映像信号を補正する段階とを含むことを特徴とする破損型デジタルコンテンツ修復方法。
【請求項２２】
前記復号化段階で遂行する復号化方式は破損型コンテンツ生成の時、符号化部で符号化した方法によって決定されることを特徴とする請求項２１に記載の破損型デジタルコンテンツ修復方法。
【請求項２３】
前記方法は、前記復号化された破損型コンテンツからコンテンツ修復にための基礎情報を抽出するコンテンツ解析段階をさらに含むことを特徴とする請求項２１に記載の破損型デジタルコンテンツ修復方法。
【請求項２４】
前記コンテンツ解析段階は前記暗号化されたフィルター初期値情報と補正情報を検出する役目をさらに遂行することを特徴とする請求項２３に記載の破損型デジタルコンテンツ修復方法。
【請求項２５】
前記コンテンツ修復段階は、前記信号抽出段階から提供されたフィルター初期値からコンテンツを修復するための修復フィルターを生成する修復フィルター生成段階と、前記生成された修復フィルターによって前記破損型コンテンツを修復するデータフィルターリング段階と、前記信号抽出段階から受信された補正情報によって修復されたコンテンツで補正が必要である部分に対して補正作業を遂行するコンテンツ補正段階とを含むことを特徴とする請求項２１に記載の破損型デジタルコンテンツ修復方法。
【請求項２６】
前記修復フィルター生成段階は、前記信号抽出段階から暗号化されたフィルター初期値情報を受信し、前記暗号化されたフィルター初期値情報を復号化する初期値復号化段階と、前記段階で提供された復号化された初期値からコンテンツを修復するためのフィルター情報値を生成する乱数発生段階と、前記段階で生成されたフィルター情報値と前記初期値復号化段階で生成された復号化された初期値情報によって破損されたコンテンツの修復のための修復フィルターを生成する逆フィルター生成段階とを含むことを特徴とする請求項２５に記載の破損型デジタルコンテンツ修復方法。
【発明の詳細な説明】
【技術分野】
【０００１】
本発明はデジタルコンテンツの保護方法に関するものであり、より詳しくはデジタルコンテンツの毀損を通じてデジタルコンテンツの無断複製及び配布を源泉的に遮断できる破損型デジタルコンテンツ生成及び修復装置及び方法に関する。
【背景技術】
【０００２】
近来のコンピューター及びネットワーク環境の発展は大衆に多様なデジタルコンテンツに対する接近性を向上させてデジタルコンテンツ産業の市場性を急激に向上させているが、著作権保護に対する認識不足とともに不十分な技術的保護手段はコンテンツ産業の活性化を阻害する要因になっている。
今までデジタル著作権の保護を図るためにＤＲＭ（Ｄｉｇｉｔａｌ  Ｒｉｇｈｔｓ  Ｍａｎａｇｅｍｅｎｔ）、デジタルウォーターマーキング等の多様なデジタルコンテンツ保護方案等が提示されてきた。
【０００３】
一般的に暗号化技術を用いるＤＲＭ（Ｄｉｇｉｔａｌ  Ｒｉｇｈｔｓ  Ｍａｎａｇｅｍｅｎｔ）は多様なデジタルコンテンツの知的財産権を保護するためにコンテンツ使用権限のある顧客のみが使用できるようにするソリューションとサービスを包括する概念として使われている。ＤＲＭはデジタルコンテンツを暗号化されたパッケージ形態のデータに変換させてユーザーがむやみに当該データを使うことができないようにする技術を用いることでユーザーは必ず認証の手順を経て別途の料金を払わないと当該コンテンツを使うことができない。
【０００４】
例えば、ダウンロード方式の場合、まずユーザーがコンテンツを要求するとコンテンツ提供業者は当該コンテンツをユーザーのパソコンにダウンロードさせる。ユーザーがコンテンツの実行を試図すると代金支払いの過程を経て、支払いの手順が終わった後に支払いゲートウェーを通じてクリアリングハウスサーバー（ライセンスサーバー）でライセンスを発給する。ライセンスが発給されると暗号化されたコンテンツが復号化されてユーザーは当該コンテンツを勝手に利用できる。しかし、このような手順的流れはデジタルコンテンツの多様な流通サービスの実現には多少距離のある方法である。
【０００５】
尚、ＤＲＭで採択しているデータ暗号化技術はデータをスクランブリングして暗号化キーを有する者のみが暗号化されたデータの復号化ができるようにする技術であって、このような技術はデジタルコンテンツに対する暗号化キーさえハッキングされれば、その以後に発生される当該コンテンツの不法複製及び配布を防ぐ効果的な方案がないということが問題として指摘されている。
【０００６】
尚、ＤＲＭは消費者の立場からでは有料化及び手順上の複雑性による抵抗感を引き起こし、著作物の提供業者の立場からではシステムの構築に多くの費用が所要されるのみならず、既存のアナログシステムではＤＲＭの適用が不可能であるという問題を抱いている。
一方、デジタルウォーターマーキング（Ｄｉｇｉｔａｌ  Ｗａｔｅｒｍａｒｋｉｎｇ）は特定ファイルに係る著作権情報を識別できるようにデジタルイメージやオーディオ及びビデオファイルに人が認知できない特定のビートパターンを挿入する技術であって、これを通じてデジタルコンテンツの体系的保護が可能であるので、最近その必要性が増大されているデジタルコンテンツ保護技術であると言える。
【０００７】
しかし、ウォーターマーキングは大体コンテンツに対する不法的な使用が成された後に当該コンテンツを入手して自分の著作権を証明する用途の事後的の問題解決に焦点を合わせていることで著作権者が日々出てくるデジタルコンテンツをいちいちトラッキングして著作権を行事するというのは実効性の次元では大きな効果を発揮できないという問題を抱いている。それに、ウォーターマーキング技術は継続的の改善にもかかわらず、標準化の不十分と技術力の低下によって技術的にも著作権者の要求事項に対する対応能力が低くなるという問題がある。特に、イメージファイル圧縮やファイルフォーマット変換過程、コンテンツのリサイジングやコンテンツの一部摘出過程で植えておいたウォーターマーキングの検出が難しいという技術的問題が提起されている。
【０００８】
したがって、従来のデジタルコンテンツ保護技術の問題を多様な側面から補完できる新しいデジタルコンテンツ保護技術の必要性が台頭されている実情である。
【発明の開示】
【発明が解決しようとする課題】
【０００９】
本発明の目的はユーザーにはコンテンツの接近性を向上させ、著作物の提供業者には著作権の侵害に対する恐れのない多様な流通経路でコンテンツを提供できる破損型デジタルコンテンツ生成及び修復装置及び方法を提供する。
【００１０】
本発明の他の目的はコンテンツを製作した後、流通や配布の前に予め一定のデータを毀損して源泉的に原本コンテンツにの修復を防ぐ破損型デジタルコンテンツ生成及び修復装置及び方法を提供する。本発明の他の目的はユーザーに提供されたデジタルコンテンツの修復フィルターデータを順次的に自動毀損させることでデジタルコンテンツの修復及び再生回数を制御できる破損型デジタルコンテンツ生成及び修復装置及び方法を提供する。
【課題を解決するための手段】
【００１１】
前記の目的を達成するための破損型コンテンツ生成装置は、フィルター生成に用いられる乱数生成のための初期値を生成する初期値生成部と、前記初期値生成部から受信された初期値によってフィルター生成のための乱数値を生成する乱数発生部と、前記生成された乱数によってコンテンツ破損のための破損フィルターを生成させるフィルター生成部と、原本コンテンツを前記フィルター生成部で生成された破損フィルターによってフィルターリングすることで前記原本コンテンツを破損させるデータフィルターリング部と、前記データフィルターリング部から破損されたコンテンツを符号化する符号化部と、前記初期値生成部で生成された初期値情報を暗号化して、前記データフィルターリング部で破損されたコンテンツに挿入する信号付加部と、前記符号化部から破損されたコンテンツを提供されて前記破損されたコンテンツに映像補正情報を挿入する映像補正部とを含むことを特徴とする。
【００１２】
前記の目的を達成するための破損型コンテンツ修復装置は、受信された破損型コンテンツを圧縮解除して復号化する復号化部と、前記破損型コンテンツの修復のための基礎情報を抽出するコンテンツ解析部と、前記コンテンツ解析部から前記コンテンツを受信して、前記圧縮が解除されたコンテンツから暗号化されたフィルター初期値情報と補正情報を抽出する役目を遂行する信号抽出部と、前記信号抽出部から提供されたフィルター初期値からコンテンツを修復のための修復フィルターを生成し、前記生成された修復フィルターによって前記破損型コンテンツを修復するコンテンツ修復部とを含むことを特徴とする。
【００１３】
前記の目的を達成するための破損型コンテンツ生成方法は、フィルター生成に用いられる乱数生成のための初期値を生成する段階と、前記生成された初期値で破損フィルターを生成する段階と、前記破損フィルターによって原本コンテンツを破損する段階と、前記破損フィルターの情報を暗号化する段階と、前記破損コンテンツに対する補正情報を生成する段階と、前記生成された破損コンテンツ、破損フィルター情報及び破損補正情報とパッケージングして破損型コンテンツを生成する段階とを含むことを特徴とする。
【００１４】
前記の目的を達成するための破損型コンテンツ修復方法は、破損型コンテンツを受信し、復号化する段階と、前記受信コンテンツから暗号化されたフィルター情報及び補正情報を抽出する段階と、前記抽出された暗号化されたフィルター情報を復号化して初期値を生成する段階と、前記生成された初期値によって映像信号を修復するためのフィルター情報値を生成する段階と、前記生成された乱数値及び前記初期値から修復フィルターを生成する段階と、前記修復フィルターによって破損された映像信号を修復する段階と、前記抽出された補正情報によって前記修復された映像信号を補正する段階とをさらに含むことを特徴とする。
【００１５】
本発明は音楽、映像などの多様なコンテンツ等に対する不法複製あるいは許可されていないユーザー達の不法使用を防ぐために元来の正常コンテンツをフィルターによって歪曲させることでコンテンツを破損させた状態で電送する。その時、受信側では破損されたコンテンツを受信し、破損されたコンテンツを修復できるフィルターによって正常コンテンツにの修復が可能になる。
【００１６】
前記コンテンツ破損のためのフィルターは設定された初期値によって生成された乱数値によって特定されるフィルターであって、コンテンツ修復のために前記初期値を暗号化して破損されたコンテンツとともに電送する。その時、前記破損されたコンテンツを修復しようとするユーザーは前記暗号化された初期値を復号化できるキー値を正当に与えられ、前記初期値によって修復フィルターを生成すべきである。
【００１７】
尚、前記破損されたコンテンツの修復のために前記フィルターに対する情報が前記破損されたコンテンツとともに電送される。しかし、本発明によるデジタルコンテンツ修復システムはクライアントに電送された修復フィルターの情報がデジタルコンテンツの修復のための演算過程で自動的に変更されて保存されるので、修復フィルターの無断複製や配布を源泉的に防ぐことができる。
【発明の効果】
【００１８】
以上のように、本発明によるデジタルコンテンツは配布前、既にデジタルコンテンツの一部が破損されたデータであるので、コンテンツハッキングや複製が成されても、源泉的に著作権保護ができるという効果がある。
【００１９】
このような理由で、本発明はユーザーにはデジタルコンテンツの接近性を向上させ、著作物提供業者には著作権の侵害に対する恐れなく多様な流通経路を利用してコンテンツを提供できるようにすることで広報効果の極大化を図ることができる。
【００２０】
尚、本発明は既存のＤＲＭ方式とは違って、認証手順がなくても、一部データが毀損されたデジタルコンテンツではあるが、ユーザーがデジタルコンテンツの修復作業なくても、試監あるいは試聴機能を十分に実行することができるので、ユーザーの選択による完全なデジタルコンテンツの修復及び再生に対する有料化サービスを容易に誘導できる効果がある。
【００２１】
尚、本発明はデジタルコンテンツの修復フィルターのデータを修復過程遂行後、順次的に自動消去されるようにすることで、修復フィルターデータの無断複製を防止すると同時に、デジタルコンテンツの修復及び再生数が制御できる効果がある。
【００２２】
尚、本発明は既存のＤＲＭ方式とは違って、コンテンツを製作した後、流通前に予めて毀損して電送した後、毀損されたデジタルコンテンツをフィルターによって修復する方式であるので、全てのデジタルコンテンツデバイスに適用できるし、さらにアナログ装備でも源泉的に著作権を保護できるので、画期的な著作権保護費用の節減効果をもたらすことができる。
【００２３】
尚、本発明によるデジタルコンテンツ毀損及び修復方法は、空中波放送のコンテンツにも容易に適用できて、低廉な費用でＣＡＳシステム（制限受信システム）が構築できる効果がある。
【発明を実施するための最良の形態】
【００２４】
以下、本発明の好ましい実施例による詳細な説明を添付された図面を参照して説明する。下記は本発明を説明するにおいて係る公知機能又は構成に対する具体的説明が本発明の要旨を不必要にぼかす可能性があると判断される場合にはその詳細な説明を省略する。
図１は本発明による破損型コンテンツ生成及び修復システムを示した図面である。
【００２５】
前記図１を参照すると、本発明による破損型コンテンツ生成及び修復システムは多様なデジタルコンテンツ（１００）を破損して通信ネットワーク（１２０）を通じて電送する破損型コンテンツ生成装置（１１０）及び前記破損されたコンテンツを受信して修復する破損型コンテンツ修復装置（１４０）で構成できる。
【００２６】
その時、前記破損型コンテンツ修復装置（１４０）はオーディオ（１３１）、ヘッドホン（１３２）、パソコン／テレビ（１３３）、スマートフォン（１３４）及び携帯電話（１３５）などのような多様なデジタルコンテンツ再生機等（１３０）に内装又は外装されて前記受信された破損型コンテンツを修復してくれるソフトウェア（Ｓ／Ｗ）又はハードウェア（Ｈ／Ｗ）で構成できる。
【００２７】
即ち、前記多様なデジタルコンテンツ（１００）は破損型コンテンツ生成装置（１１０）によって本発明により破損され、通信ネットワーク（１２０）を通じて各クライアントに電送される。前記破損型コンテンツを受信した各クライアントは自分の多様なデジタルコンテンツ再生機（１３０）で、前記破損型コンテンツを再生することになり、その時、認証されていない一般再生機等は破損された形態のコンテンツが再生される。しかし、前記デジタルコンテンツ再生機（１３０）の内部あるいは外部に前記本発明による破損型コンテンツ修復装置（１４０）を追加することで破損される前の正常的なコンテンツを再生できるようになる。
【００２８】
一方、前記破損型コンテンツ生成装置（１１０）は後述する所定の破損フィルターによってデジタルコンテンツに対するコンテンツ破損を遂行し、アナログコンテンツである場合はデジタルに変換させた後、コンテンツ破損を遂行できるようになる。
【００２９】
以下、図２乃至図４を参照し、前記本発明による破損型コンテンツ生成装置（１１０）及び修復装置（１４０）をより具体的に説明する。
【００３０】
図２は本発明による破損型コンテンツ生成装置及び修復装置を示した図面である。
【００３１】
前記図２を参照すると、前記図１で上述したように破損型コンテンツ生成装置（１１０）で生成された破損型コンテンツはネットワーク（１２０）などを通じて各クライアントに電送されて、各当該クライアントでは前記破損型コンテンツを修復できる破損型コンテンツ修復装置（１４０）を具備することで、正常的なコンテンツを再生できるようになる。
【００３２】
前記破損型コンテンツ生成装置（１１０）はデータベース（２００）、初期値生成部（２１０）、データ判別部（２２０）、環境設定部（２３０）、コンテンツ破損部（２４０）及びコンテンツパッケージング部（２５０）等で構成されるし、 前記破損型コンテンツ修復装置（１４０）は復号化部（２６０）、コンテンツ解析部（２７０）、信号抽出部（２８０）及びコンテンツ修復部（２９０）等で構成される。
【００３３】
前記破損型コンテンツ生成装置（１１０）のデータベース（２００）にはアナログ又はデジタルコンテンツの情報が保存され、本発明による破損フィルター生成のためにフィルター情報がさらに含まれることができる。前記初期値生成部（２１０）では乱数発生のための初期値と全ての暗号情報及び補正情報生成のために初期値を生成する。
【００３４】
前記データ判別部（２２０）では前記コンテンツを適切に破損するために、当該コンテンツに対する大きさ又は種類を確認する。例えば、前記デジタルコンテンツがビデオコンテンツである場合は、前記データ判別部（２２０）で画面の大きさ、フレームの数、再生時間などを確認し、 前記デジタルコンテンツがオーディオコンテンツである場合は、前記データ判別部（２２０）で単位時間当たりのデータ量、再生時間等を確認する。
【００３５】
好ましくは、前記データ判別部（２２０）は入力されるデジタルコンテンツのデータフォーマットを解析する判別手段（未図示）及び前記判別手段によって分析されたデジタルコンテンツが圧縮ファイルである場合、圧縮解除のためのデジタルコンテンツのコーデック手段（未図示）を追加に含むことができる。
【００３６】
前記環境設定部（２３０）は前記データ判別部（２２０）で分析された再生情報に基づき、前記デジタルコンテンツの破損程度を決定するデータ破損量、破損区間、フレーム分割領域など、破損フィルターの環境設定値を決定する。即ち、前記環境設定部（２３０）で決定する破損フィルターの環境設定値は前記デジタルコンテンツのフレーム当たりの分割領域の個数、前記デジタルコンテンツの各フレームの分割領域の中で前記破損フィルターの乱数データを適用する分割領域の個数に対する値を含むことができる。
【００３７】
尚、好ましくは、前記破損フィルターの環境設定値は前記デジタルコンテンツの各フレームの分割領域に適用する前記破損フィルターの乱数データの占有率を含むことができて、前記デジタルコンテンツの多数のストリームに適用する前記破損フィルターの個数、前記デジタルコンテンツの多数のストリーム区間の中で前記破損フィルターを適用するストリーム区間情報などを含むことができる。
【００３８】
即ち、前記環境設定部（２３０）は破損させるコンテンツに対する解析情報によって初期値生成部（２１０）で生成される初期値を提供することもできるし、破損フィルター生成のための乱数生成に用いられる乱数の大きさ及び、前記破損フィルターのフィルターの大きさ情報などを提供できる。
【００３９】
一方、前記コンテンツ破損部（２４０）はコンテンツの破損のためにデータフィルターリング部（２４１）及び破損フィルター生成部（２４２）を含むことができるし、その時、前記破損フィルター生成部（２４２）は乱数発生部（２４３）を含むのが好ましい。したがって、前記破損フィルター生成部（２４２）の乱数発生部（２４３）では初期値生成部（２１０）から提供された初期値によってフィルター生成のための乱数を発生させ、前記破損フィルター生成部（２４２）では前記発生された乱数によってコンテンツ破損のための破損フィルターを生成する。
【００４０】
前記データフィルターリング部（２４１）では原本コンテンツを前記破損フィルター生成部（２４２）で生成された破損フィルターによってフィルターリングすることで、前記原本コンテンツを破損させる。その時、前記コンテンツ破損部（２４０）で破損されたコンテンツは前記コンテンツパッケージング部（２５０）に電送されてパッケージング化される。
【００４１】
一方、前記コンテンツパッケージング部（２５０）は破損されたコンテンツを、付加的に生成された他の情報等とともにパッケージング化するために符号化部（２５１）、パッケージング部（２５２）、映像補正部（２５３）及び信号付加部（２５４）などで構成されることができる。
【００４２】
前記符号化部（２５１）は破損されたコンテンツを所定のデジタルデータコーデックによって圧縮又は符号化する。例えば、前記破損されたコンテンツがメディアファイルである場合、ＡＶＩ（Ａｕｄｉｏ  Ｖｉｄｅｏ  Ｉｎｔｅｒａｃｔｉｖｅ）、ＡＳＦ（Ａｄｖａｎｃｅｄ  Ｓｔｒｅａｍｉｎｇ  Ｆｏｒｍａｔ）、ＷＭＶ（Ｗｉｎｄｏｗ  Ｍｅｄｉａ  Ｖｉｄｅｏ）、ＷＭＡ（Ｗｉｎｄｏｗ  Ｍｅｄｉａ  Ａｕｄｉｏ）、ＭＯＶ、ＭＰＥＧＸ（Ｍｏｖｉｎｇ  Ｐｉｃｔｕｒｅ Ｅｘｐｅｒｔｓ  Ｇｒｏｕｐ−Ｘ）（即ち、ＭＰＥＧ−１、ＭＰＥＧ−２、ＭＰＥＧ−３、ＭＰＥＧ−４など）、ＲＡ（Ｒｅａｌ  Ａｕｄｉｏ）などの形式で符号化することができる。
【００４３】
前記映像補正部（２５３）では破損された映像を圧縮すると、原本に修復し難くなるので、このような修復できない部分を修復できるようにするため、破損されたコンテンツに映像補正情報を挿入する役目を遂行する。その時、前記映像補正部（２５３）は前記補正情報が映像補正の許容値に入るまで補正情報生成の作業を繰り返して遂行する。
【００４４】
前記信号付加部（２５４）は、初期値生成部（２１０）から受信された初期値を暗号化し、前記映像補正部（２５３）によって補正情報が挿入された映像信号に前記暗号化された初期値を挿入する役目を遂行する。
【００４５】
前記パッケージング部（２５２）は複数の前記補正情報及び暗号化された初期値情報が挿入された映像信号等をパッケージ化して電送する役目を遂行する。
【００４６】
一方、本発明による破損型コンテンツ修復装置（１４０）は、前記破損型コンテンツ生成装置（１１０）によって破損されたコンテンツを受信して元来のコンテンツ情報に修復する役目を遂行する。前記破損型コンテンツ修復装置（１４０）は復号化部（２６０）、コンテンツ解析部（２７０）、信号抽出部（２８０）及びコンテンツ修復部（２９０）などで構成できる。
【００４７】
尚、前記コンテンツ修復部（２９０）はデータフィルターリング部（２９１）、コンテンツ補正部（２９２）及び修復フィルター生成部（２９３）などで構成できるし、前記修復フィルター生成部（２９３）は修復フィルター生成部のための乱数発生部（２０４）をさらに具備できる。
【００４８】
まず、前記復号化部（２６０）は受信された破損型コンテンツを復号化し、その時、前記復号化部（２６０）で遂行する復号化方式は前記破損型コンテンツ生成装置（１１０）の符号化部（２５１）で符号化した方法によって決定される。その時、前記復号化部（２６０）は暗号化されたフィルター情報及び補正情報を圧縮されたデジタルコンテンツの一部とし、そのままで圧縮を解除するので、どのようなアルゴリズムの圧縮フォーマットを用いるとしても修復が円滑に成されて、従来用いたデジタルコンテンツプレーヤーの交換や交替なしに完璧に著作権保護ができる。
【００４９】
前記コンテンツ解析部（２７０）は前記暗号化されたフィルター情報と補正情報を検出する役目を遂行し、フィルターの大きさなどの映像修復のための基礎情報を抽出する。前記信号抽出部（２８０）では前記圧縮が解除された映像信号から暗号化されたフィルター情報と補正情報を抽出する役目を遂行する。
【００５０】
その時、前記信号抽出部（２８０）から抽出された補正情報はコンテンツ補正部（２９２）に提供して、暗号化されたフィルター情報は修復フィルター生成部（２９３）に提供される。尚、前記補正情報及び暗号化されたフィルター情報が除去された破損されたコンテンツ情報はデータフィルターリング部（２９１）に電送される。
【００５１】
一方、前記暗号化されたフィルター情報は前記修復フィルター生成部（２９３）に提供され、前記暗号化されたフィルター情報を復号化してフィルター生成と乱数発生のための初期値として用いられる。即ち、前記乱数発生部（２９４）では前記初期値からコンテンツを修復するためのフィルター情報値を生成する。
【００５２】
したがって、前記修復フィルター生成部（２９３）では前記乱数発生部（２９４）から生成されたフィルター情報値と、暗号化されたフィルター情報を復号化して生成したフィルター生成初期値によってコンテンツ修復のためのフィルターを生成する。
【００５３】
前記修復フィルター生成部（２９３）で生成されたフィルター情報が前記データフィルターリング部（２９１）に提供され、前記データフィルターリング部（２９１）では前記提供されたフィルター情報によって破損されたコンテンツを修復する。その時、前記修復のためのフィルターは前記コンテンツ破損のために用いられた破損フィルターと逆関数関係になる。
【００５４】
前記データフィルターリング部（２９１）でフィルターによって修復されたコンテンツはコンテンツ補正部（２９２）に電送され、前記コンテンツ補正部（２９２）では前記信号抽出部（２８０）から受信された補正情報によって修復されたコンテンツで補正の必要の部分に対して、補正作業を遂行することで完璧に修復された映像を出力する。
【００５５】
以下、図３を参照して前記破損型コンテンツ生成装置（１１０）の具現例をより詳しく説明し、図４を参照して前記破損型コンテンツ修復装置（１４０）の具現例をより詳しく説明する。
【００５６】
図３は本発明の実施例による破損型コンテンツ生成装置の細部構造を示したブロック図である。
【００５７】
前記図３を参照すると、本発明の実施例による破損型コンテンツ生成装置（１１０）は、Ａ／Ｄ変換部（Ａｎａｌｏｇ  ｔｏ  Ｄｉｇｉｔａｌ  Ｃｏｎｖｅｒｔｅｒ；３３０）、環境設定部（２３０）、データ判別部（２２０）、データフィルターリング部（２４１）、初期値生成部（２１０）、乱数発生部（２４３）、フィルター生成部（３４０）、フィルター情報データベース（３２０）、初期値暗号化部（３５０）、符号化部（２５１）、映像補正部（２５３）、信号付加部（２５４）及びパッケージング部（２５２）などで構成できる。
【００５８】
まず、前記データ判別部（２２０）にコンテンツ情報が入力され、その時、前記コンテンツがアナログ信号（Ａｍ）である場合は、前記Ａ／Ｄ変換部（３３０）を通じてデジタル信号（ｍ）に変換されて入力されて、前記コンテンツ信号がデジタル信号（ｍ）である場合は、別途の変換過程なしに前記データ判別部（２２０）に入力される。
【００５９】
前記データ判別部（２２０）では前記図２で上述したように前記入力されたデジタルコンテンツに対するフォーマット情報を含む各種情報等を把握して、環境設定部（２３０）に電送する役目を遂行する。例えば、前記データ判別部（２２０）で把握する情報は前記デジタルコンテンツがビデオコンテンツである場合は、画面の大きさ、フレームの数、再生時間などであるし、前記デジタルコンテンツがオーディオコンテンツである場合には前記単位時間当たりのデータ量、再生時間などである。
【００６０】
一方、前記データ判別部（２２０）で確認された破損するコンテンツに対する情報は前記環境設定部（２３０）に提供される。その時、前記環境設定部（２３０）は前記データ判別部（２２０）で分析された当該コンテンツに対する各種情報に基づき、コンテンツ破損のための破損フィルターの各種環境設定値（例えば、前記デジタルコンテンツの破損程度を決定するデータ破損量、破損区間、フレーム分割領域等）を決定して初期値生成部（２１０）、乱数発生部（２４３）及びフィルター生成部（３４０）に提供する。即ち、上述したように前記環境設定部（２３０）で決定する破損フィルターの環境設定値は前記デジタルコンテンツのフレーム当たりの分割領域の個数、前記デジタルコンテンツの各フレームの分割領域の中で前記破損フィルターの乱数データを適用する分割領域の個数に対する値を含むことができる。
【００６１】
したがって、前記環境設定部（２３０）は破損させるコンテンツに対する解析情報によって前記初期値生成部（２１０）で生成される初期値を前記初期値生成部（２１０）に提供し、破損フィルター生成のための乱数生成に用いられる乱数の大きさ情報を前記乱数発生部（２４３）に提供し、前記破損フィルターのフィルターの大きさ情報等をフィルター生成部（３４０）に提供する。
【００６２】
一方、前記初期値生成部（２１０）では、前記環境設定部（２３０）から初期値生成のためのコンテンツ情報（例えば、フィールド調整値など）を受信して、フィルター生成に用いられる乱数生成のための初期値（ＳＲ）を生成する。即ち、前記初期値生成部（２１０）で生成される初期値は前記乱数発生部（２４３）を初期化するための値であって、すべての暗号及び補正情報の基礎になる値になる。
【００６３】
その時、前記初期値生成部（２１０）で生成された初期値（ＳＲ）は乱数発生部（２４３）に提供されて、前記提供された初期値（ＳＲ）と前記環境設定部（２３０）から提供される乱数の大きさの指定値によってフィルター生成のための乱数（Ｒ）が生成される。前記生成された乱数（Ｒ）はフィルター生成部（３４０）に提供され、コンテンツ破損のためのフィルターを生成させるのに用いられる。
【００６４】
前記フィルター生成部（３４０）はフィルター情報データベース（３２０）から各種フィルター情報を提供され、前記乱数発生部（２４３）から提供された乱数（Ｒ）値によってコンテンツを破損するためのランダムな一つの破損フィルターを生成する。一方、前記フィルター情報データベース（３２０）に保存されたフィルター情報は各種コンテンツを破損するために用いられるフィルターの情報を意味する。
【００６５】
前記データフィルターリング部（２４１）では前記データ判別部（２２０）からコンテンツ情報を提供され、前記フィルター生成部（３４０）で生成された破損フィルターによって前記コンテンツ情報をフィルターリングすることで破損させる役目を遂行する。
【００６６】
一方、前記初期値生成部（２１０）で生成された初期値情報は、上述したように初期値暗号化部（３５０）に電送され、前記初期値暗号化部（３５０）では、前記提供された初期値をサーバー側のシークレットキー及び公開キー（Ｓｍ  Ｋｅｙ）によって暗号化させる。前記サーバー側のシークレットキー及び公開キー（Ｓｍ  Ｋｅｙ）は暗号アルゴリズムによって初期値を暗号化するためのシークレットキー及び公開キーを意味する。 その時、前記初期値暗号化部（３５０）で暗号化された初期値情報（Ｓｍ（ＳＲ）  Ｋｅｙ）は信号付加部（２５４）に提供され、破損されたコンテンツと結合される。前記信号付加部（２５４）に提供される暗号化された初期値情報（Ｓｍ（ＳＲ）  Ｋｅｙ）は暗号化された初期値であり、後でシークレット通信によって再生クライアントに電送される暗号マスターキーになる。
【００６７】
前記データフィルターリング部（２４１）で破損フィルターによってフィルターリングされた破損されたコンテンツは、符号化部（２５１）に提供され、前記符号化部（２５１）では、上述したように特定方式のコーデックによって圧縮又は符号化される。したがって、前記符号化部（２５１）には、圧縮又は符号化された破損コンテンツとともに前記圧縮又は符号化によるヘッダー情報が挿入される。
【００６８】
その時、本発明によって上述したように、前記映像補正部（２５３）では破損された映像を圧縮すると、原本に修復し難くなるので、このような修復できない部分を修復できるようにするために前記符号化部（２５１）から破損されたコンテンツを提供され、前記破損されたコンテンツに映像補正情報を挿入する役目を遂行する。尚、前記映像補正部（２５３）は前記補正情報が映像補正の許容値に入るまで前記補正情報生成の作業を繰り返して遂行する。
【００６９】
一方、前記信号付加部（２５４）では前記初期値暗号化部（３５０）から暗号化された初期値（Ｓｍ（ＳＲ）  Ｋｅｙ）を受信し、前記映像補正部（２５３）から提供された補正情報が挿入された映像信号に、前記暗号化された初期値（Ｓｍ（ＳＲ）  Ｋｅｙ）を挿入する役目を遂行する。前記信号付加部（２４３）では、前記のように暗号化された初期値（Ｓｍ（ＳＲ）  Ｋｅｙ）が挿入された破損コンテンツを、映像補正部（２５３）を通じて符号化部（２５１）にリターンさせ、前記符号化部（２５１）では前記補正情報及び暗号化された初期値情報が追加された破損コンテンツをパッケージング部（２５２）に電送する。
【００７０】
前記パッケージング部（２５２）は、前記符号化部（２５１）から複数の前記補正情報及び暗号化された初期値情報が挿入された破損コンテンツをパッケージ化し、最終的に破損コンテンツを生成する。前記生成されたパッケージ化された破損コンテンツは各クライアントに提供されて、修復できるクライアントのみが前記破損されたコンテンツを正常的に再生し、修復機能のない一般クライアントは、前記コンテンツを受信しても破損された形態のコンテンツを確認する。
【００７１】
以下、図４を参照して前記図３での破損型コンテンツ生成装置によって生成された破損されたコンテンツを修復する装置の具現例を説明する。
【００７２】
図４は本発明の実施例による破損型コンテンツ修復装置の細部構造を示したブロック図である。
【００７３】
前記図４を参照すると、前記本発明の実施例による破損型コンテンツ修復装置（１４０）は復号化部（２６０）、コンテンツ解析部（２７０）、信号抽出部（２８０）、データフィルターリング部（２９１）、コンテンツ補正部（２９２）、乱数発生部（２９４）、初期値復号化部（４１０）及び逆フィルター生成部（４２０）などで構成できる。
【００７４】
まず、前記破損型コンテンツ修復装置（１４０）に入力された破損型コンテンツは、前記復号化部（２６０）で圧縮解除又は復号化される。その時、前記復号化部（２６０）で遂行する復号化方式は、上述したように前記破損型コンテンツ生成装置（１１０）の符号化部（２５１）で符号化した方法によって決定される。その時、前記復号化部（２６０）は、暗号化されたフィルター情報及び補正情報を圧縮されたデジタルコンテンツの一部とし、そのままで圧縮を解除するので、どのようなアルゴリズムの圧縮フォーマットを用いるとしても修復が円滑に成され、従来用いたデジタルコンテンツプレーヤーの交換や交替なしに完璧に著作権保護ができる。
【００７５】
前記コンテンツ解析部（２７０）は、前記暗号化されたフィルター初期値情報と補正情報を検出する役目を遂行し、フィルターの大きさ等のコンテンツ修復のための基礎情報を抽出する。前記信号抽出部（２８０）では前記圧縮が解除されたコンテンツから暗号化されたフィルター初期値情報と補正情報を抽出する役目を遂行する。前記信号抽出部（２８０）から抽出された前記補正情報はコンテンツ補正部（２９２）に提供され、暗号化されたフィルター初期値情報（Ｓｍ（ＳＲ）  Ｋｅｙ）は、初期値復号化部（４１０）に電送される。尚、前記補正情報及び暗号化されたフィルター初期値情報が除去された破損されたコンテンツ情報は、データフィルターリング部（２９１）に電送される。
【００７６】
一方、前記初期値復号化部（４１０）では、前記信号抽出部（２８０）から暗号化されたフィルター初期値情報（Ｓｍ（ＳＲ）  Ｋｅｙ）を受信し、前記暗号化されたフィルター初期値情報（Ｓｍ（ＳＲ）  Ｋｅｙ）を復号化する。その時、前記復号化されたフィルター初期値情報は、前記乱数発生部（２９４）と逆フィルター生成部（４２０）に提供される。
【００７７】
前記乱数発生部（２９４）では、前記初期値復号化部（４１０）から提供された復号化された初期値からコンテンツを修復するためのフィルター情報値を生成し、前記生成されたフィルター情報値を前記逆フィルター生成部（４２０）に提供する。
【００７８】
したがって、前記逆フィルター生成部（４２０）では、前記乱数発生部（２９４）から受信されたフィルター情報値と、前記初期値復号化部（４１０）から受信された復号化された初期値情報（Ｓｍ（ＳＲ）  Ｋｅｙ）によって破損されたコンテンツの修復のための修復フィルターを生成する。その時、上述したように前記破損されたコンテンツの修復のための前記逆フィルター生成部（４２０）で生成される修復フィルターは、前記コンテンツ破損のために用いられた破損フィルターと逆関数関係になる。
【００７９】
前記逆フィルター生成部（４２０）で生成されたフィルター情報は、前記データフィルターリング部（２９１）に提供され、前記データフィルターリング部（２９１）では、前記提供された修復フィルター情報によって破損されたコンテンツを修復する。即ち、前記データフィルターリング部（２９１）では、前記信号抽出部（２８０）から受信される破損されたコンテンツを、逆フィルター生成部（４２０）から提供された修復フィルターによって逆フィルターリング作業を遂行することで、前記破損されたコンテンツを修復又は復旧する。その後、前記データフィルターリング部（２９１）では、前記修復されたコンテンツを前記コンテンツ補正部（２９２）に電送する。
即ち、前記データフィルターリング部（２９１）でフィルターによって修復されたコンテンツは、コンテンツ補正部（２９２）に電送され、前記コンテンツ補正部（２９２）では、前記信号抽出部（２８０）から受信された補正情報によって修復されたコンテンツで補正の必要の部分に対して、補正作業を遂行することで完璧に修復された映像を出力する。
【００８０】
以上で、図３及び図４を参照して本発明の実施例による破損型コンテンツ生成装置及び修復装置を詳しく説明した。以下、図５を参照して上述した方法で具現された装置によってデータが電送される流れを説明する。
【００８１】
図５は本発明の実施例による破損型コンテンツの生成及び修復のためにデータの流れを示した図面である。
【００８２】
前記図５を参照すると、電送しようとするコンテンツ、即ち、原本映像mは原本映像データベース（３１０）に保存され、コンテンツ破損のための破損フィルター生成のためのフィルター情報はフィルター情報データベース（３２０）に保存される。
【００８３】
その時、前記フィルター情報データベース（３２０）から複数のフィルターセット（ｓｅｔ）がフィルター生成部（３４０）に電送され、前記フィルター生成部（３４０）では、初期値ＳＲ及び乱数発生部（２４３）から提供される乱数値rによってフィルターｆ（Ｔ）を生成する。
【００８４】
一方、前記原本映像データベース（３１０）に保存された原本映像ｍは、データフィルターリング部（２４１）に提供され、前記フィルター生成部（３４０）で生成されたフィルターｆ（Ｔ）によって前記原本映像ｍはフィルターリングされる。その時、前記フィルターリングされた破損された映像ｍf は、下記の＜数学式１＞のように示される。
【数学式１】
【００８５】
2007520098.tif 000003
【００８６】
前記データフィルターリング部（２４１）でフィルターリングされたコンテンツは、破損された映像ｍf の形態を有し、フィールド抽出部（５００）では、前記破損された映像ｍf からフィールド調整値を生成する。その時、前記フィールド抽出部（５００）で生成されたフィールド調整値によって初期値ＳＲが決定され、前記初期値ＳＲは、上述したように前記フィルター生成部（３４０）及び乱数発生部（２４３）に提供される。一方、前記乱数発生部（２４３）では、前記提供された初期値ＳＲから乱数ｒを生成して前記フィルター生成部（３４０）に提供する。
【００８７】
上述したように前記フィルター生成部（３４０）では、前記提供された初期値ＳＲ及び前記乱数発生部（２４３）から提供された乱数値ｒを通じてフィルターｆ（Ｔ）を生成する。
【００８８】
一方、前記破損された映像ｍf は、ネットワーク（１２０）を経てクライアントに提供され、その時、前記初期値ＳＲもシークレット通信によってネットワーク（１２０）を経てクライアントに提供される。
【００８９】
前記破損された映像ｍf を受信したクライアントは信号抽出部（２８０）に入力され、前記信号抽出部（２８０）から信号抽出された後、破損された映像ｍf はデータフィルターリング部（２９１）に提供され、ともに電送された補正情報はフィールド抽出値確認部（５１０）に電送される。
【００９０】
前記データフィルターリング部（２９１）では、前記破損された映像ｍf を逆フィルターリングして原本映像ｍに修復される。その時、前記データフィルターリング部（２９１）は逆フィルター生成部（４２０）から逆フィルターｆ-1を受信して当該破損された映像を逆フィルターリングする。
【００９１】
前記逆フィルター生成部（４２０）では、クライアントが有するフィルター情報データベース（３２０）から提供されるフィルターセット（ｓｅｔ）と、初期値ＳＲ及び乱数発生部（２９４）から提供される乱数値ｒによって破損映像を修復するための逆フィルターｆ-1を生成する。
【００９２】
一方、前記初期値ＳＲは上述したように送信側でネットワーク（１２０）を通じてシークレット通信によって提供される値であり、前記フィールド抽出値確認部（５１０）から提供されたフィールド調整値によって初期値が修正される。尚、前記乱数発生部（２９４）は前記初期値ＳＲから乱数ｒ値を生成して前記逆フィルター生成部（４２０）に提供する役目を遂行する。
【００９３】
したがって、上述したように逆フィルター生成部（４２０）で生成されたフィルター
ｆ-1によって前記データフィルターリング部（２９１）で破損映像修復の手順が成される。その時、前記データフィルターリング部（２９１）での逆フィルターリングは、下記＜数学式２＞のように示される。
【数学式２】
【００９４】
2007520098.tif 000004
【００９５】
一方、前記データフィルターリング部（２９１）を通じて修復された映像ｍは、映像出力されて、上述したように完璧な原本映像の修復のために受信された補正情報による補正作業が遂行される。
【００９６】
即ち、前記補正された映像がフィールド抽出値確認部（５１０）に電送され、前記フィールド抽出値確認部（５１０）では、前記修復された映像と信号抽出部（２８０）から受信された補正情報によってフィールド調整値を生成する。前記生成されたフィールド調整値によって初期値が調整されて、これによって生成される逆フィルターが調整されて補正されたより完璧な映像が得られる。
【００９７】
以上で、本発明による破損型コンテンツ生成及び修復装置を詳しく説明した。以下、図６及び図７を参照して上述して装置を通じて破損型コンテンツを生成及び修復する手順を説明する。
【００９８】
図６は本発明の実施例による破損型コンテンツ生成の手順を示した流れ図である。
【００９９】
前記図６を参照すると、まず、破損型コンテンツの製作要請（Ｓ６０１）が入ると、当該コンテンツに対する破損型コンテンツの製作のために所定の初期値を生成（Ｓ６０２）する。
【０１００】
その後、前記生成された初期値で破損フィルターを生成（Ｓ６０３）した後、前記破損フィルターによって原本コンテンツを破損（Ｓ６０４）する。その時、前記初期値により所定の乱数値が発生され、前記発生された乱数値と前記初期値によって前記破損フィルターを生成する。
【０１０１】
一方、前記破損フィルターによって原本コンテンツを破損した後、前記破損フィルターの情報（即ち、前記破損フィルターの初期値情報）を暗号化（Ｓ６０５）し、前記破損コンテンツに対する補正情報を生成（Ｓ６０６）する。
【０１０２】
最後に、前記生成された破損コンテンツ、破損フィルター情報（即ち、破損フィルターの初期値情報）及び破損補正情報にパッケージングして破損型コンテンツを生成（Ｓ６０７）して、前記生成された破損型コンテンツを電送（Ｓ６０８）する。
【０１０３】
図７は本発明の実施例による破損型コンテンツ修復の手順を示した流れ図である。
【０１０４】
前記図７を参照すると、クライアントはまず、破損型コンテンツを受信し、復号化（Ｓ７０１）する。その時、前記復号化された破損型コンテンツからコンテンツ修復のための基礎情報を抽出（Ｓ７０２）し、前記受信コンテンツから暗号化されたフィルター情報（即ち、暗号化されたフィルター初期値情報）及び補正情報を抽出（Ｓ７０３）する。
【０１０５】
その後、前記抽出された暗号化されたフィルター情報を復号化して初期値を生成（Ｓ７０４）する。前記生成された初期値によって映像信号を修復するためのフィルター情報値（即ち、乱数値）を生成（Ｓ７０５）して、前記生成された乱数値及び前記初期値からフィルターを生成（Ｓ７０６）する。その時、前記生成されたフィルターは逆フィルターに変換（Ｓ７０７）され、前記変換された逆フィルターによって破損された映像信号を修復（Ｓ７０８）する。
【０１０６】
最後に、前記抽出された補正情報によって前記修復された映像信号を補正（Ｓ７０９）することで、完璧な映像信号を生成し、前記最終修復されたコンテンツ（即ち、映像信号）を再生（Ｓ７１０）する。
【０１０７】
図８は本発明の実施例によるパッケージングされた破損型コンテンツの構造を示した図面である。
【０１０８】
前記図８を参照すると、本発明によって生成されるパッケージングされて電送される破損型コンテンツは、ヘッダー情報（８１０）、破損されたデータ（８２０）、暗号化されたフィルター情報（８３０）及び補正情報（８４０）で構成できる。前記破損されたコンテンツを電送するコンテンツ提供者は、前記本発明によって破損させた破損データ（８２０）とともに、前記破損されたデータ（８２０）の修復にために暗号化されたフィルター情報（８３０）及び補正情報（８４０）をさらに追加して電送する。
【０１０９】
前記ヘッダー情報（８１０）は、コンテンツの符号化過程で当該符号化方法による圧縮方式などによって前記符号化されたコンテンツに追加される符号化の係るヘッダー情報になる。尚、前記破損されたデータ（８２０）は、本発明により破損フィルターによって破損されたコンテンツの実際の内容部分であり、前記符号化の手順によって符号化された破損コンテンツの内容になる。
【０１１０】
前記暗号化されたフィルター情報（８３０）はクライアントが前記破損されたコンテンツの修復のために生成する修復フィルターを構成するために必要のフィルター初期値情報を暗号化した情報であって、例えば、５Ｋバイト（ｂｙｔｅ）が割当てられる。したがって、前記破損型コンテンツを受信したクライアントは、前記暗号化されたフィルター初期値情報を復号化した後、前記復号化された初期値によって修復フィルターを構成する。
【０１１１】
前記補正情報（８４０）は、クライアントが修復フィルターによってコンテンツ修復の時に完璧な補正のために追加される情報になり、前記符号化又は圧縮過程で損失された映像に対する補正情報になる。その時、前記補正情報（８４０）は１０Ｋバイトが割当てられる。
【０１１２】
図９は本発明の実施例による原本イメージを破損する方法を示した図面である。
【０１１３】
前記図９を参照すると、本発明によって一つの動映像イメージを各停止映像イメージ（即ち、フレーム）単位とし、破損フィルターによって歪曲させる。
【０１１４】
前記図９の上端に図示された図で、Ｘ軸及びＹ軸は一つの停止映像に対する画面の大きさを示し、Ｚ軸は複数の停止映像イメージが集まって一つの動映像イメージを形成する映像量を意味する。
【０１１５】
したがって、前記Ｘ＊Ｙの画面の大きさによって映像破損のためのフィルターの大きさが決定され、前記Ｚの映像量によって破損区間が決定される。即ち、上述した破損型コンテンツ生成装置（１１０）のデータ判別部（２２０）で前記破損する映像の情報（即ち、映像の大きさ及び映像量）を把握し、前記把握された情報によってコンテンツ破損のための各部分を制御する。
【０１１６】
一方、前記図９の下端に図示された図で、左側の原本画面は本発明による破損フィルターによって右側の破損された映像にフィルターリングされる。その時、図示されたように、破損フィルターの種類及び組合（即ち、フィルター演算の種類）によって破損形態が決定される。即ち、前記破損形態によってクライアントが感じるイメージ歪曲程度が決定される。
【０１１７】
尚、破損フィルターによる原本映像の破損量が決定され、前記破損フィルターの特性によってフィルターが未適用される空隙部分が発生される。したがって、前記空隙の大きさ（即ち、破損量）によって当該映像を識別できる程度が異なる。即ち、コンテンツ提供者は、提供される破損映像に対する破損量調節することで、クライアントの映像に対する興味を高調させ、原本映像を見ようとする欲求を増大することで、コンテンツ有料化が具現できる。
【０１１８】
図１０は本発明の実施例による破損型コンテンツの生成方法を示した図面である。
前記図１０を参照すると、本発明によって破損型データの著作権保護のために原本映像の破損過程によって上述した各種データが付加される。
【０１１９】
即ち、原本映像が破損モジュールによって破損され、前記破損された映像はＭＰＥＧ符号化機のような映像符号化機によって所定のヘッダーが挿入された圧縮された破損型映像が生成される。その時、前記圧縮された破損型映像は映像補正モジュールで、原本映像との比較値を生成し、前記原本映像との比較値を通じて映像補正情報を生成する。
【０１２０】
一方、前記破損モジュールでの破損のための破損フィルター生成のために初期値を生成し、前記初期値から乱数発生機によって乱数が生成され、上述したように前記初期値及び前記乱数値によって破損フィルターが生成される。これによって、前記生成された破損フィルターによって破損モジュールでは原本映像に対する破損作業が成される。その時、前記初期値は、破損フィルターに対する初期値に所定の暗号アルゴリズムによって暗号化され、前記暗号化された破損フィルターの初期化情報は、前記映像補正情報とともに前記圧縮された破損型映像に挿入される。
【０１２１】
したがって、最終生成される破損型コンテンツは、前記図８で上述したようにヘッダー、圧縮された破損型映像、映像補正情報及び暗号化された破損フィルター初期化情報などで構成できて、前記各情報の配置順序は多様に変形できる。
【０１２２】
図１１は本発明の実施例による動映像の破損及び修復の概念を示した図面である。
【０１２３】
前記図１１を参照すると、本発明により提供しようとするコンテンツが動映像である場合、前記動映像が本発明によって破損及び修復される。
【０１２４】
即ち、アナログ又はデジタル動映像ストリームで構成された原本コンテンツは、本発明によるコンテンツ破損モジュールによって破損される。その時、前記動映像ストリームの各停止映像イメージがコンテンツ破損フィルターによってフィルターリングされることで各イメージの歪曲が起こる。
【０１２５】
したがって、前記破損されたコンテンツストリームが受信側（即ち、クライアント）に電送され、前記破損された形態のコンテンツストリームとでは、認可されていないユーザーの不正使用が不可能になる。
【０１２６】
一方、本発明によって正常的コンテンツ修復モジュールを具備したユーザーは、上述したコンテンツ修復モジュールによって各イメージの歪曲が修復され、前記修復された動映像ストリームが正当なクライアントに提供される。
【０１２７】
したがって、不法ユーザーの場合、前記破損されたコンテンツを不法コピーしても、コンテンツの破損された程度によって、ある程度の認識はできるが、正常的コンテンツの確認はできないので、前記破損されたコンテンツに対する興味誘発とともに、正常的の決済によるコンテンツ使用が誘導できる。
【０１２８】
図１２は本発明の実施例による信号歪曲の概念を示した図面である。
【０１２９】
前記図１２を参照すると、本発明による破損フィルターによって原本データが歪曲される概念をグラフで確認される。
【０１３０】
歪曲前の信号（即ち、原本信号）は、歪曲信号（即ち、破損フィルターによるフィルターリング信号）によって歪曲された信号に出力される。即ち、前記破損フィルターによる歪曲信号フィルターリングによって正常の原本信号が破損された信号に歪曲されることがわかる。
【０１３１】
その時、前記歪曲信号は、破損フィルターの設定によって異なり、前記破損フィルターは上述したように生成された初期値及び乱数値によって決定される。したがって、前記初期値を調整することで、前記原本信号の破損程度が調節できる。
【０１３２】
図１３は本発明の実施例による修復キー交換の概念を示した図面である。前記図１３は、Ａ某歌手の音楽を破損して破損型コンテンツを製作する場合のフィルター生成及び修復キー交換の概念を示す。例えば、１、２、３、４、５の五つのフィルターが存在すると仮定すれば、上述した初期値及び乱数生成によって２、４、５、５、１のフィルター定数が設定される。その時、前記フィルター定数に対応するフィルターによって前記Ａ某歌手の音楽がフィルターリングされることで、破損された音声が生成される。
【０１３３】
その時、ＣＡ／ＲＡサーバーでは、前記破損装置で用いたフィルター定数をフィルター交換システムによって４、２、３、３、５のフィルター定数に変換して電送し、前記A某歌手の破損されたコンテンツを受信したユーザーは、修復モジュールで前記受信されたフィルター定数４、２、３、３、５と前記フィルター定数が変換されたフィルターマッチング情報によって前記破損されたコンテンツを逆フィルターリングすることで正常的なコンテンツを再生する。
【０１３４】
一方、本発明の実施例では、具体的実施例に関して説明したが、本発明の範囲から外れない限度内で色々な変形が可能である。それ故、本発明の範囲は説明された実施例に局限されて定められてはいけないし、後述する特許請求の範囲のみならず、この特許請求の範囲と均等な物によって定められるべきである。
【図面の簡単な説明】
【０１３５】
【図１】図１は本発明による破損型コンテンツ生成及び修復システムを示した図面である。
【図２】図２は本発明による破損型コンテンツ生成装置及び修復装置を示した図面である。
【図３】図３は本発明の実施例による破損型コンテンツ生成装置の細部構造を示したブロック図である。
【図４】図４は本発明の実施例による破損型コンテンツ修復装置の細部構造を示したブロック図である。
【図５】図５は本発明の実施例による破損型コンテンツの生成及び修復のためのデータ流れを示した図面である。
【図６】図６は本発明の実施例による破損型コンテンツ生成手順を示した流れ図である。
【図７】図７は本発明の実施例による破損型コンテンツ修復手順を示した流れ図である。
【図８】図８は本発明の実施例によるパッケージングされた破損型コンテンツの構造を示した図面である。
【図９】図９は本発明の実施例による原本イメージを破損する方法を示した図面である。
【図１０】図１０は本発明の実施例による破損型コンテンツの生成方法を示した図面である。
【図１１】図１１は本発明の実施例による動映像の破損及び修復概念を示した図面である。
【図１２】図１２は本発明の実施例による信号歪曲の概念を示した図面である。
【図１３】図１３は本発明の実施例による修復キー交換概念を示した図面である。
【符号の説明】
【０１３６】
１００：デジタルコンテンツ
１１０：破損型コンテンツ生成装置
１２０：ネットワーク
１３０：デジタルコンテンツ再生装置
１４０：破損型コンテンツ修復装置
２００：データベース
２１０：初期値生成部
２２０：データ判別部
２３０：環境設定部
２４０：コンテンツ破損部
２４１：データフィルターリング部
２４２：破損フィルター生成部
２４３，２９４：乱数発生部
２５０：コンテンツパッケージング部
２５１：符号化部
２５２：パッケージング部
２５３：映像補正部
２５４：信号付加部
２６０：復号化部
２７０：コンテンツ解析部
２８０：信号抽出部
２９０：コンテンツ修復部
２９１：データフィルターリング部
２９２：コンテンツ補正部
２９３：修復フィルター生成部
３００：アナログ信号
３１０：デジタル信号
３２０：フィルター情報データベース
３３０：Ａ／Ｄ変換部
３４０：フィルター生成部
３５０：初期値暗号化部
４１０：初期値復号化部
４２０：逆フィルター生成部
５００：フィールド抽出部
５１０：フィールド抽出値確認部
【その他】
【０１３７】
なお、明細書の翻訳文中の数学式１、及び２に含まれる
2007520098.tif 000005
は、文中において（ｔ）に置き換えて記載している。
【図１】
2007520098.tif 000006
【図２】
2007520098.tif 000007
【図３】
2007520098.tif 000008
【図４】
2007520098.tif 000009
【図５】
2007520098.tif 000010
【図６】
2007520098.tif 000011
【図７】
2007520098.tif 000012
【図８】
2007520098.tif 000013
【図９】
2007520098.tif 000014
【図１０】
2007520098.tif 000015
【図１１】
2007520098.tif 000016
【図１２】
2007520098.tif 000017
【図１３】
2007520098.tif 000018
【国際調査報告】
2007520098.tif 000019